(57)【要約】  コンバイナが出力抵抗器を有さず、出力結合点がコンバイナの２つの入力端に対して非対称に配置された、位相差システム用の低損失コンバイナが提供される。具体的には、その位置は、広い範囲の相互位相差を伴うコンバイナの入力信号に適した入力インピーダンスをコンバイナが有するような所である。この入力インピーダンスは、有利には、非常に小さな無効分を有する。更に、コンバイナの入力信号間の位相差が増大するにつれて入力インピーダンスの実部が増大する。更に、入力信号の振幅に応じた形で、入力信号が能動分割器によって増幅されて、相互位相差を伴う第１及び第２の信号に分割される、（好ましくは適応型）ＲＰ増幅器が開示される。２つの信号は、さらなる増幅後に、低損失コンバイナによって再度組み合わされる。
2008523763.tif 000002
【特許請求の範囲】
【請求項１】
２つのコンバイナ入力端と１つのコンバイナ出力端とを備え、特性インピーダンスを有する第１の信号線が前記２つのコンバイナ入力端を相互に接続する、２つの無線周波数信号を組み合わせるコンバイナにおいて、前記第１の信号線の経路長が前記コンバイナの設計周波数で組み合わされるべき前記無線周波数信号の半波長のほぼ整数倍であり、特性インピーダンスを有する第２の信号線が前記第１の信号線上にある出力結合点を前記出力端に接続するコンバイナであって、前記２つのコンバイナ入力端から不等の距離の所に前記出力結合点が非対称に配置されることを特徴とするコンバイナ。
【請求項２】
前記出力結合点と前記２つのコンバイナ入力端のそれぞれとの間の経路長の差が、組み合わされるべき前記２つの信号間の約２５〜４５度の位相シフトに相当するように、前記出力結合が非対称に配置される、請求項１に記載のコンバイナ。
【請求項３】
前記出力結合点と前記２つのコンバイナ入力端のそれぞれとの間の経路長の差が、組み合わされるべき前記２つの信号間の約３０〜４０度の位相シフトに相当するように  前記出力結合点が非対称に配置される、請求項２に記載のコンバイナ。
【請求項４】
前記コンバイナが出力抵抗器を備えないことを特徴とする、前記請求項のいずれか一項に記載のコンバイナ。
【請求項５】
前記複数の信号線がマイクロストリップ線路又はストリップ線路として構成される、前記請求項のいずれか一項に記載のコンバイナ。
【請求項６】
前記第２の信号線が、特性インピーダンスを有する第３の信号線を介して前記出力結合点を前記出力端に接続し、前記第２の信号線が、約１／４波長に達する長さと、そして、前記第１の信号線の前記特性インピーダンスを２で割ったものと前記第３の信号線の前記特性インピーダンスとの積の根である特性インピーダンスを有する、前記請求項のいずれか一項に記載のコンバイナ。
【請求項７】
前記複数の信号線が同軸線路である、前記請求項のいずれか一項に記載のコンバイナ。
【請求項８】
第１及び第２の増幅器と、前記請求項のいずれか一項に記載のコンバイナとを備える、増幅器システム。
【請求項９】
互いに相対して可変な位相シフトを呈することができる、２つの同一の無線周波数入力信号を増幅するのに特に適した増幅器システムであって、第１の増幅器の入力に第１の増幅器信号線によって接続される第１の入力端と、第２の増幅器の入力に第２の増幅器信号線によって接続される第２の入力端とを備え、増幅された２つの信号を組み合わせるコンバイナの複数の入力端に前記それぞれの増幅器が接続され、前記コンバイナの出力端が前記増幅器システムの出力端でもある、請求項８に記載の増幅器システム。
【請求項１０】
遅延回路が前記増幅器信号線内に組み込まれ、前記コンバイナの非対称性及び前記遅延回路のサイズが、それらが導入する複数の位相シフトが同一の大きさで逆向きとなり、従って前記複数の位相シフトが互いに相殺するように選択される、請求項８又は９に記載の増幅器システム。
【請求項１１】
前記コンバイナの非対称性及び前記遅延回路によって生じる前記位相シフトの前記大きさが２５〜４５度である、請求項１０に記載の増幅器システム。
【請求項１２】
前記コンバイナの非対称性及び前記遅延回路によって生じる前記位相シフトの前記大きさが３０〜４０度である、請求項１１に記載の増幅器システム。
【請求項１３】
前記２つの増幅器が同じ名目上の出力インピーダンスを有し、前記コンバイナの特性入力インピーダンスが前記複数の増幅器の前記名目上の出力インピーダンスと等しい、請求項８、９又は１０に記載の増幅器システム。
【請求項１４】
複数の無線周波数信号を増幅する適応型増幅器システムにおいて、入力信号を増幅・分割して、増幅・分割された２つの信号にする働きをし、１つの分割器入力端と、２つの分割器出力端とを備える能動信号分割器を前記システムの入力の所に備え、前記システムの入力が前記分割器の前記入力端に接続され又は前記分割器の前記入力端と一致し、前記分割器が前記入力信号を増幅・分割する態様が前記入力信号のサイズに依存する、適応型増幅器システムであって、前記分割器の前記出力端が、請求項８に記載の増幅器システムの複数の入力端に接続されることを特徴とする適応型増幅器システム。
【請求項１５】
しきい値未満の複数の入力信号の場合、前記分割された信号間、及び一定の増幅率で増幅された前記複数の信号間に前記分割器が一定の位相シフトを引き起こし、しきい値から最大値までの複数の信号の場合、前記分割された信号間の前記位相シフトが約ゼロの値まで連続的に減少し、また前記増幅率が連続的に増大し、従って、複数の小さな信号サイズの場合、効率が強化された従来型の線形増幅器として前記システムが挙動し、複数の大きな信号サイズの場合、複数の出力トランジスタが常に全出力まで駆動される、従来型のＬＩＮＣ（Ｌｉｎｅａｒ  ａｍｐｌｉｆｉｃａｔｉｏｎ  ｕｓｉｎｇ  Ｎｏｎ−ｌｉｎｅａｒ Ｃｏｍｐｏｎｅｎｔｓ）増幅器として前記システムが挙動する、請求項１４に記載の適応型増幅器システム。
【請求項１６】
複数の小さな入力信号の場合、前記分割された信号間に６０〜８０度の位相差を前記分割器が引き起こす、請求項１５に記載の適応型増幅器システム。
【請求項１７】
最大信号サイズの場合、前記分割器の前記増幅率が小さな信号サイズの場合よりも約４倍大きい、請求項１５又は１６に記載の適応型増幅器システム。
【請求項１８】
前記分割器がアナログ分割器である、請求項１４から１７のいずれか一項に記載の適応型増幅器システム。
【請求項１９】
前記分割器がデジタル分割器である、請求項１４から１７のいずれか一項に記載の適応型増幅器システム。
【請求項２０】
１つ又は複数の無線周波数信号を増幅するための、請求項８から１９のいずれか一項に記載の増幅器システムの使用。
【発明の詳細な説明】
【技術分野】
【０００１】
本発明は、コンバイナに関し、そして、そうしたコンバイナを備える増幅器システムに関する。
【背景技術】
【０００２】
第３世代電話システムは、５メガヘルツの広帯域符号分割多元接続（ＷｉｄｅｂａｎｄＣｏｄｅ  Ｄｉｖｉｓｉｏｎ  Ｍｕｌｔｉｐｌｅ  Ａｃｃｅｓｓ）を使用する、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、すなわちＵＭＴＳに基づいている。帯域幅の合計は６０ＭＨｚであり、基地局と携帯電話との間のトラフィックにおいて２１１０ＭＨｚから２１７０ＭＨｚの範囲に及ぶ。ＵＭＴＳネットワークは、ＵＭＴＳ無線信号を送信するための多数の基地局送信機を備える。そうした基地局送信機はそれぞれ線形出力増幅器を備える。
【発明の開示】
【発明が解決しようとする課題】
【０００３】
ＵＭＴＳ信号の構成により、前記送信機は、それらの送信機が設定された最大出力電力よりも平均出力電力がずっと小さな出力信号を生成する。その結果、そうした送信機は、高い電力消費を呈し、実際の出力電力に対して、大量の熱を発生させる。換言すれば、そうした送信機の効率が低いということである。この問題は、増幅器の挙動が例えばドハティ・システムの場合と同様に入力信号に依存する、既知の適応型増幅器システムを使用することで軽減されることができる。しかし、そうした既知のシステムは、製作するのが困難な、比較的複雑な設計を必要とする。他のシステムでは、相互位相差を伴う、２つの分離した、同一の信号が生成される。この２つの信号はそれぞれ、別々の増幅器によって増幅されて、最後にこの２つの信号が、いわゆるコンバイナ内で再度一緒に「加算」される。しかし、組み合わされるべき２つの信号間に位相差が存在する場合、大幅な電力損失が生じる。出力抵抗器（負荷）が設けられた従来型のコンバイナは、信号の組合せに関して有利な特性を呈する。しかし、一緒に加算されるべき２つの信号間に位相差がある場合、このタイプのコンバイナでは、大量の電力を負荷で消費させ、その結果かなりの損失が生じる。もちろん、出力抵抗器が設けられていない従来型のコンバイナにはこの欠点はないが、２つの入力信号間に位相差がある場合には、電力の反射が入力インピーダンス中に無効分を生成して、同様にかなりの損失が生じる。これは特に、増幅器の出力トランジスタが、その遮断周波数付近で動作するときに生じ、ＵＭＴＳの場合一般にそうである。
【０００４】
本発明のコンバイナは、これらの欠点を回避し、相互位相差を伴う２つの信号を、いかなる大幅な損失もなく組み合わせる。これにより、比較的大きな帯域幅を有する改善された増幅器システムを得ることが可能になる。それと同時に、この増幅器システムは、ドハティ・システムで直面する安定性の問題なく、比較的簡単に製作されることができるという利点を有する。
【課題を解決するための手段】
【０００５】
位相差システム用のコンバイナの一利点は、それが低損失であるということである。この利点は、部分的には、出力抵抗器が不要であるため得られる。広い範囲の相互位相差を伴う入力信号に対して所望の入力インピーダンスをコンバイナが有するように、コンバイナからの出力結合点が２つの入力端に対して非対称に配置される。この所望の入力インピーダンスは非常に小さな無効分を有するが、入力インピーダンスの実部は入力信号間の位相差が増大するにつれて増大する。
【０００６】
本発明によるコンバイナは、適応型増幅器システムにおいて非常に有利に使用されることができる。これにより、入力信号の振幅が異なる場合広い振幅範囲全体にわたって高度の効率を呈する増幅器システムを実現することが可能になる。
【０００７】
更に、入力信号の振幅に応じた形で、能動型分割器（ａｃｔｉｖｅ  ｓｐｌｉｔｔｅｒ）によって入力信号が増幅されて、相互位相差を伴う２つ以上の信号に分割される、適応型無線周波数増幅器が開示される。さらなる増幅後に、前記２つ以上の分割後の信号が低損失コンバイナによって再度組み合わされる。小さな信号サイズの場合には、増幅器は効率が強化された線形増幅器として機能し、大きな信号サイズの場合には、増幅器はＬＩＮＣ（Ｌｉｎｅａｒ  ａｍｐｌｉｆｉｃａｔｉｏｎ  ｕｓｉｎｇ  Ｎｏｎ−ｌｉｎｅａｒ  Ｃｏｍｐｏｎｅｎｔｓ）増幅器として機能する。これらのプロセスを組み合わせた全体の結果として、全範囲の信号サイズにわたって効率が強化された線形増幅システムになる。
【０００８】
本発明による増幅器システム及びコンバイナは当業者に既知のさまざまなトランジスタ製作技術を使用することによって実現されることができる。更に、コンバイナ及び増幅器をモノリシック・ソリューションに統合することが可能である。しかし、ディスクリート・ソリューション又はシステム・イン・パッケージ・ソリューションが、決して除外されるわけではない。
【０００９】
得られる増幅器システムは、特に同一の無線周波数信号を例えば携帯電話内又は基地局内で増幅するのに非常に適している。本発明は、ＵＭＴＳ帯域などのより広い帯域に非常に適しているが、ＧＳＭ、ＣＤＭＡ、Ｔ−ＣＤＭＡ、Ｗ−ＣＤＭＡ、Ｗ−ＬＡＮ、８０２．１１など、その他の帯域と共に有利に使用されてもよい。
【００１０】
本発明は以下に、２つの増幅器を備える増幅器システムに基づいて説明されるが、より多数の増幅器を備える増幅器システムが除外されるわけではない。前置増幅器に加えて、より多くの増幅器を並列に接続することも可能である。前記増幅器は、コンバイナに２つ一組で、例えば階層を介して接続されてもよい。
【００１１】
本発明によるコンバイナ及び増幅器システムの上記の態様及び更なる態様は、図面を参照してより詳細に説明される。
【発明を実施するための最良の形態】
【００１２】
低損失コンバイナを備えた位相差無線周波数増幅器システム
低損失コンバイナは、２つのコンバイナ入力端に対して出力結合点が非対称に配置されるように選択されるという点で実現される。非適応型増幅器システムと組み合わせたコンバイナが図１に概略的に示されている。図では、数字の１がコンバイナを示し、数字の２が非適応型増幅器システムを示す。コンバイナ１は、コンバイナ入力端２１及び２２、並びにコンバイナ出力端２３を備える。信号線２４がコンバイナ入力端２１と２２を相互に接続する。信号線２４は特定の特性インピーダンスを有するタイプのものである。信号線２４の長さは組み合わされるべき無線周波数信号の半波長のおよそ整数倍である。従来技術とは異なり、組み合わされた信号が結合して取り出される出力結合点２５が、本発明では、信号線２４上に各コンバイナ入力端２１及び２２から不等の距離の所に、非対称に配置されるように選択される。組み合わされるべき信号が、一方ではそれぞれに対応するコンバイナ入力端２１及び２２と、他方では出力結合点２５との間の不等の経路長を移動しなければならないので、２つの信号間に位相シフトが生じる。出力結合点２５は信号線２６及び２７を介してコンバイナ出力端２３に接続される。増幅器システム２が入力端１１及び１２を備える。入力端１１は信号線１４によって増幅器１６の入力に接続され、入力端１２は信号線１５によって増幅器１７の入力に接続される。遅延回路１３が信号線１４内に組み込まれる。信号線１４と同様に、信号線１４、１５、２６及び２７、並びに遅延回路１３は、特定の特性インピーダンスを有する。コンバイナ１は、増幅器１６及び１７からの出力信号を組み合わせる。これらの増幅器の出力端がそのために、コンバイナ入力端２１及び２２に直接接続される。２つの増幅器出力間の、半波長の整数倍という前述の所望の長さが、増幅器１６及び１７のそれぞれに対応する出力トランジスタ同士の間にある必要がある。実際には、増幅器の出力は一般に、ある経路長のアダプタ回路を備える。このために、信号線２４の長さを２つの出力トランジスタ間の経路長が半波長の整数倍となるように適合することによって補正が行われる必要がある。波長は、組み合わされるべき信号の周波数に依存し、従ってコンバイナは、一定の設計周波数及びその近辺の周波数範囲で最適に機能する。出力結合点２５及び遅延回路１３は、それらが導入する位相シフトが同一の大きさであるが逆向きとなり、従って、前記位相シフトが互いに相殺するように選択される。
【００１３】
信号線は例えばマイクロストリップ線路である。正しく動作するように、２つの増幅器には同じ名目上の出力インピーダンスが与えられ、前記名目上の出力インピーダンスに等しい値が、マイクロストリップ線路２４の特性入力インピーダンスとして選択され、そのインピーダンスはまた、増幅器１６及び１７の終端インピーダンスを成す。コンバイナ１は、さらなる出力抵抗器（負荷）を備えていない。これらの増幅器の名目上の出力インピーダンスの通常値は５０Ωであり、従って、マイクロストリップ線路の特性インピーダンスも５０Ωでなければならない。しかしこの場合、５０Ωの値をそれぞれが有するマイクロストリップ線路２４の２つの岐路が並列に接続されるので、出力結合点での特性インピーダンスは２５Ωしかない。出力２７に５０Ωの出力インピーダンスが必要とされる場合、１／４波長の長さ及び（２５×５０）１／２＝３５．３Ωの特性インピーダンスを有するマイクロストリップ線路２６となる、いわゆる変成器を、出力結合点２５に接続することで、それが実現されることができる。続いて、マイクロストリップ線路２６の自由端が、５０Ωの特性インピーダンスを有するマイクロストリップ線路２７によって、出力端２３に接続される。インピーダンス遷移の場合、変成器が同じインピーダンスを有さない２つのマイクロストリップ線路間に配置される限り、異なる出力インピーダンスを選択することも可能であり、その場合、変成器は、１／４波長及び２つの相互に異なるインピーダンスの積の根である特性インピーダンスを有さなければならないことが明らかであろう。インピーダンス遷移が必要とされない場合、変成器２６は省かれてよく、２５Ωの特性インピーダンスを有するマイクロストリップ線路２７で、出力結合点２５と出力端２３の間に直接接続を形成することができる。マイクロストリップ線路２４、２６及び２７の特性インピーダンスに関して、増幅器１６及び１７の出力インピーダンス、並びに出力端２３上の所望の出力インピーダンスに応じて、その他の値が選択されてもよいことが明らかであろう。
【００１４】
非対称出力結合点を有するコンバイナの挙動がシミュレーションされ、その計算結果が図２に示されている。図２に示される曲線は、出力結合点２５を３種類の異なる非対称の形に選択し、その結果それぞれ３０、３５及び４０度の位相シフトがもたらされたコンバイナの特性を表す。位相角は、２つの入力信号間の位相差であり、それに関連して、位相角は、入力端１１と１２の間に当てはまることに留意されよう。更に、Ｒｅａｌはコンバイナの入力インピーダンスの実部であり、またＲｅａｃはコンバイナの入力インピーダンスの無効部であって、それが基準として設定されている。標準化のために、位相角がゼロのときの入力インピーダンスの実部が１に設定された。図２に示される計算から、約３０〜４０度の位相シフトが生じるように出力結合点２５の非対称性が選択されたとき、入力インピーダンスの無効部Ｒｅａｃが、広範囲の位相角全体にわたって非常に小さいままであるが、入力インピーダンスの実部が位相角にほぼ比例して増大する、特殊な状態が生じることが明らかである。３０度未満の位相シフトを生じる非対称の出力結合点の場合、入力インピーダンスの無効部が、有用な範囲の途中で位相角に伴って大幅な増大を呈し、これは望ましくない。４０度を超える位相シフトを生じる非対称の出力結合点の場合、インピーダンスの到達可能な増大量が位相角の関数として減少し、入力インピーダンスの無効部の増大量が、２．５倍未満の許容可能レベルにとどまる。これが、システムがこの範囲の数度外側の値でもはや機能せず、出力結合点２５の非対称性が、約２５〜４５度、好ましくは約３０〜４０度の位相シフトを生じるように選択されなければならない理由である。図２は更に、コンバイナの非対称性が３０度である場合、コンバイナの効率レベルが、最大８０度までの位相角であれば９８％より上にとどまることを示す。３５度及び４０度の非対称性の場合はそれぞれ、効率レベルが、最大６０度までの位相角であれば９９．５％より上に、また最大４０度までの位相角であれば９９．９％の値にとどまる。
【００１５】
低損失コンバイナを備えた適応型位相差制御無線周波数増幅器
次に、適応型無線周波数増幅器が、図３を参照して説明される。図１と同様の部分は図１と同じ数字で示される。図３では、適応型増幅器システムが、全体として１００で示され、適応型増幅器システムは、コンバイナ１と、増幅器システム２と、能動型信号分割器３とを備える。この図では、数字の５が、増幅器システムの入力端を示し、数字の２３が、増幅器システムの出力端を示す。入力信号が、能動型信号分割器３内で増幅されて、２つの別々の信号に分割され、それらが、分割器出力端１１及び１２を介して取り去られる。信号分割器３は、アナログ分割器でも、デジタル分割器でもよい。後者の場合、入力端５上の信号はデジタル的に符号化されることができる。すなわち、分割後の２つのデジタル信号を出力端１１及び１２上のアナログ信号に変換するＤ／Ａ変換器を備えた、分割器３を用いてである。信号線１４及び１５がそれぞれ、分割後の信号を増幅器１６及び１７に伝達し、その信号線１４中には遅延回路１３が組み込まれている。増幅器１６及び１７の出力がコンバイナ１の入力端２１及び２２に接続される。
【００１６】
能動型信号分割器３の挙動は入力信号の振幅に依存する。入力端５での信号サイズが最大である場合、出力端２３での出力電力も同様に最大値Ｐｍａｘを有する。約−７ｄB  Ｐｍａｘの出力電力、すなわち最大出力電力の２０％に相当する一定のしきい値未満の小さな信号サイズの場合、分割後の信号は信号分割器３によって固定増幅率で増幅されると共に、分割後の２つの信号間に約６０〜８０度の一定の相互位相差が生成される。この位相差の正確な値の選択は、増幅器１６及び１７内で使用されるトランジスタに対する最適な適応に依存する。入力端での信号サイズがしきい値より大きな値に上昇した場合、分割後の２つの信号間の位相差は、最大信号サイズであれば位相差が０度に減少するまで、連続して減少する。位相差が最大の場合、分割後の２つの信号の平均フェース（ｆａｃｅ）はゼロにほぼ等しい。２つの信号間の位相差が次第に減少する場合、平均位相は、ほぼゼロにとどまることができ、又は、増幅器１６及び１７内の起こり得る位相シフトを相殺するようにゼロとはわずかに異なる値が平均位相に与えられることができる。更に、増幅器１６及び１７内で使用される出力トランジスタに応じて、信号分割器３の増幅率が、この範囲全体にわたって４倍に増加している。信号分割器３が小さな信号サイズと共に動作し、また信号分割器３の電力消費がシステム全体の効率にそれほど影響を及ぼさないように設定された増幅器１６及び１７によって送信機の所望の出力電力が生成される。
【００１７】
次に、適応型増幅器システムの動作が図４を参照して説明される。まず、最大信号サイズの場合の状況について説明される。最大信号サイズの場合、分割後の信号間の位相差が０度である。出力トランジスタが全出力まで駆動され、増幅器の名目上のインピーダンスに等しい特性入力インピーダンスをコンバイナが有する。これは通常の設計であり、最適な効率をもたらす。次に、小さな信号サイズの場合の状態について説明される。ゼロからしきい値までの小さな信号サイズの場合、分割後の信号は約６０〜８０度の一定の相互位相差を呈する。コンバイナは一定の入力インピーダンスを有するが、非対称設計であることにより、前記一定の入力インピーダンスは、増幅器の名目上のインピーダンスよりも約５倍高い。その結果、増幅器１６及び１７の効率が、従来型の増幅器システムの効率よりも大幅に高い。更に、出力増幅器１６及び１６の増幅率が、名目上のインピーダンスでよりも約４倍高い。その結果として、制御信号がより少なくて済み、その結果、増幅器１６及び１７の前置増幅器によって供給される電力がより少なくて済み、従って、前置増幅器はより少ない電流で済み、その結果、全体効率の更なる改善が実現される。システムは、この範囲では線形増幅器として動作するが、大幅に改善された効率を伴う。信号サイズがしきい値より上の値に増大した場合、分割後の信号の位相差、すなわち位相角が減少して、コンバイナの入力インピーダンスが減少し、従って、出力増幅器１６及び１７の増幅率も減少する。信号サイズがしきい値から最大信号サイズまでの場合、出力トランジスタが全出力まで駆動される。更に、しきい値から最大信号サイズまでの信号サイズの場合、終端インピーダンス（＝コンバイナの入力インピーダンス）の低下によって生じる出力増幅器１６及び１７の増幅率の減少を相殺するように、分割器５の増幅率が約４倍増加する。その結果、システムは、しきい値より上の出力信号に関して、増幅器が常に全出力まで駆動されるＬＩＮＣ（Ｌｉｎｅａｒ  ａｍｐｌｉｆｉｃａｔｉｏｎ  ｕｓｉｎｇ  Ｎｏｎ−ｌｉｎｅａｒ  Ｃｏｍｐｏｎｅｎｔｓ）システムとして機能し、従って、従来型の増幅器に比べてより高い効率レベルが、やはりこれらの入力信号でも実現される。実際には、多くの場合、線形動作の範囲と全出力の範囲との間の遷移範囲がある。前記遷移範囲では、分割後の２つの信号間の位相角は既に減少しているが、出力増幅器１６及び１７は、まだ全出力まで駆動されていない。
【００１８】
最大電力時には、本発明による増幅器システムの効率が、従来型の増幅器の効率に等しい。より低く生成された電力レベル時には、この高効率レベルが原理上、最大電力の約２０％のしきい値まで維持されるが、従来型の増幅器の効率レベルは、その段階で半分未満に既に減少してしまっている。更に低い、しきい値よりも低い電力レベル時には、本発明の増幅器システムの効率レベルは、従来型の増幅器の効率レベルよりも一定倍高いままである。
【００１９】
４〜５倍の終端インピーダンスの変化を実現するためには、分割後の２つの信号間に０〜８０度の位相差の変化を分割器が生成することができなければならない。しかし、トランジスタの中には、増幅器の名目上の終端インピーダンスよりも４〜５倍高い終端インピーダンスで、もはや最適に機能しないものもある。そうした場合には、分割器からのより小さな最大位相差を使用し、従って終端インピーダンスの変化も、より大きくならないように決定されてよい。
【００２０】
上述された例では、コンバイナの信号線がマイクロストリップ線路である。本発明は、その実施形態に限定されないことが理解されよう。従って、ストリップ線路又は同軸線路を選択することが可能である。一代替実施形態では、信号線が、コンデンサなど、１つ又は複数の受動素子を備える。コンデンサは、正確に言えば電気伝導体ではないが、ＲＡＦ用途では普通である高周波数の無線周波数信号を通過させることができる。
【図面の簡単な説明】
【００２１】
【図１】非適応型増幅器システムと組み合わせたコンバイナを概略的に示す図である。
【図２】相対インピーダンス及び相対効率が、駆動角度（ｄｒｉｖｅ  ａｎｇｌｅ）の関数としてプロットされたグラフである。
【図３】適応型増幅器システムと組み合わせたコンバイナを概略的に示す図である。
【図４】適応型増幅器システムの動作を、信号サイズに応じて概略的に示す図である。
【図１】
2008523763.tif 000003
【図２】
2008523763.tif 000004
【図３】
2008523763.tif 000005
【図４】
2008523763.tif 000006
【国際調査報告】
2008523763.tif 000007
2008523763.tif 000008
2008523763.tif 000009